(57)【要約】      （修正有）【課題】フランジバック調整レバーを手動操作しやすいレンズ鏡胴を提供する。【解決手段】レンズ鏡胴本体１２の光軸と平行かつ前記レンズ鏡胴本体の一方の側面側にシフトした回転軸５４回りに回転し、回転停止位置に応じて前記レンズ鏡胴本体の光軸上に配置されるエクステンダ４２と、前記レンズ鏡胴本体の後端部であって、該後端部から前記レンズ鏡胴本体の一方の側面及び上面に向かって拡がり、前記光軸方向に厚みを有する前記エクステンダのカバー空間を形成するカバー部と、前記カバー部に設けられた小径部１２ｂと、該小径部の後端部に設けられ、カメラ装置が着脱自在に装着されるマウント部８０と、前記小径部に設けられ、前記マウント部に装着されたカメラ装置と前記レンズ鏡胴本体との間に形成される比較的幅広のスペースに位置するフランジバック調整レバー８１と、を備える。【選択図】図１
2008065164.tif 000002
【特許請求の範囲】
【請求項１】
レンズ鏡胴本体と、
前記レンズ鏡胴本体の光軸と平行、かつ、前記レンズ鏡胴本体の一方の側面側にシフトした回転軸を有するとともに少なくとも一つのレンズが配置された回転体を備えており、前記回転体の回転停止位置に応じて前記レンズを前記レンズ鏡胴本体の光軸上に配置するエクステンダと、
前記レンズ鏡胴本体の後端部に設けられており、前記レンズ鏡胴本体の後端部から前記レンズ鏡胴本体の一方の側面及び上面に向かって拡がるとともに前記レンズ鏡胴本体の光軸方向に厚みを有する前記エクステンダのカバー空間を形成するカバー部と、
前記カバー部に設けられた小径部と、
前記小径部の後端部に設けられており、カメラ装置が着脱自在に装着されるマウント部と、
前記小径部に設けられており、前記マウント部に装着されたカメラ装置と前記レンズ鏡胴本体との間に形成される比較的幅広のスペースに位置するフランジバック調整レバーと、
を備えることを特徴とするレンズ鏡胴。
【請求項２】
前記フランジバック調整レバーは、前記小径部に回転可能に設けられており、前記マウント部に装着されたカメラ装置と前記レンズ鏡胴本体との間に形成される比較的幅広のスペースに回転可能範囲が設定されていることを特徴とする請求項１に記載のレンズ鏡胴。
【発明の詳細な説明】
【技術分野】
【０００１】
本発明はレンズ鏡胴に係り、特にエクステンダを備えたレンズ鏡胴に関する。
【背景技術】
【０００２】
従来、レンズ鏡胴においては、レンズ交換を迅速に行うべく、エクステンダを備えたものが知られている（例えば特許文献１）。このレンズ鏡胴について図５を参照しながら説明する。
【０００３】
図５に示すように、エクステンダ４２´はレンズ鏡胴本体１２´の後端側に配置されている。エクステンダ４２´は、複数のレンズ４６´、５０´等が配置された回転体（ターレット）５２´を備えており、この回転体５２´の回転停止位置に応じて複数のレンズのうちのいずれかのレンズがレンズ鏡胴本体１２´の光軸１４´上に配置されるようになっている。これにより、レンズを素早く交換可能となっている。
【０００４】
エクステンダ４２´は、レンズ鏡胴本体１２´の後端部に設けられたカバー部１２ａ´により覆われている。エクステンダ４２´（回転体５２´）の回転軸５４´がレンズ鏡胴本体１２´の上面側（図５中上方向）にシフトした位置に設けられている関係上、カバー部１２ａ´は、レンズ鏡胴本体１２´の端部１２ｃ´からレンズ鏡胴本体１２´の上面（図５中上方向）に向かって拡がるとともにレンズ鏡胴本体１２´の光軸１４´方向に一定の厚みを有するカバー空間を形成している。これにより、エクステンダ４２´を覆っている。
【０００５】
カバー部１２ａ´にはカメラ装置Ｃ´が着脱自在に装着される小径部１２ｂ´が設けられている。図５に示すように、この小径部１２ｂ´にカメラ装置Ｃ´を装着すると、レンズ鏡胴本体１２´とカメラ装置Ｃ´との間に、小径部１２ｂ´が位置するとともにカバー部１２ａ´の一部がカメラ装置Ｃ´側に迫り出した形で位置することになる。
【特許文献１】特開２００１−２４２３７０号公報
【発明の開示】
【発明が解決しようとする課題】
【０００６】
このため、小径部１２ｂ´にフランジバック調整レバー（カメラ装置Ｃ´の撮像面とレンズ鏡胴のレンズ系における結像位置との「ずれ」を修正するためのレバー）を設けた場合、カメラ装置Ｃ´側に迫り出したカバー部１２ａ´がじゃまになり、フランジバック調整レバーを手動操作しづらくなるという問題を生ずる。
【０００７】
本発明はこのような事情に鑑みて成されたもので、フランジバック調整レバーを手動操作しやすいレンズ鏡胴を提供することを目的とする。
【課題を解決するための手段】
【０００８】
請求項１に記載の発明は、レンズ鏡胴本体と、前記レンズ鏡胴本体の光軸と平行、かつ、前記レンズ鏡胴本体の一方の側面側にシフトした回転軸を有するとともに少なくとも一つのレンズが配置された回転体を備えており、前記回転体の回転停止位置に応じて前記レンズを前記レンズ鏡胴本体の光軸上に配置するエクステンダと、前記レンズ鏡胴本体の後端部に設けられており、前記レンズ鏡胴本体の後端部から前記レンズ鏡胴本体の一方の側面及び上面に向かって拡がるとともに前記レンズ鏡胴本体の光軸方向に厚みを有する前記エクステンダのカバー空間を形成するカバー部と、前記カバー部に設けられた小径部と、前記小径部の後端部に設けられており、カメラ装置が着脱自在に装着されるマウント部と、前記小径部に設けられており、前記マウント部に装着されたカメラ装置と前記レンズ鏡胴本体との間に形成される比較的幅広のスペースに位置するフランジバック調整レバーと、を備えることを特徴とする。
【０００９】
請求項１に記載の発明によれば、エクステンダ（回転体）の回転軸がレンズ鏡胴本体の一方の側面（例えば右側面）側にシフトした位置に設けられている関係上、カバー部は、レンズ鏡胴本体の後端部からレンズ鏡胴本体の一方の側面（例えば右側面）及び上面に向かって拡がるとともにレンズ鏡胴本体の光軸方向に一定の厚みを有するカバー空間を形成している。これにより、エクステンダを覆っている。すなわち、カバー部をレンズ鏡胴本体の一方の側面（例えば右側面）及び上面側にシフトした位置に設けた形となっている。
【００１０】
これにより、マウント部にカメラ装置を装着すると、レンズ鏡胴本体とカメラ装置との間に、小径部が位置するとともにカバー部の一部がカメラ装置側に迫り出した形で位置することになる。これと同時に、レンズ鏡胴本体の他方の側面（例えば左側面）側及び下面側に比較的幅広のスペースが形成されることになる。
【００１１】
フランジバック調整レバーはこのレンズ鏡胴本体の他方の側面側に形成される比較的幅広のスペースに位置しており、この比較的幅広のスペースを介して該レバーを手動操作することが可能となっている。したがって、従来のようにカメラ装置側に迫り出したカバー部がじゃまになり、フランジバック調整レバーを手動操作しづらいということがない。すなわち、フランジバック調整レバーを手動操作しやすいレンズ鏡胴を提供することが可能となる。
【００１２】
また、レンズ鏡胴本体の下面側に比較的幅広のスペースが形成されることになるので、マウント部に装着されたカメラ装置の前面下方にホワイトバランス調整キー等を含む操作パネルが設けられていたとしても、このレンズ鏡胴本体の下面側に形成される比較的幅広のスペースを介して該操作パネルを手動操作することが可能となる。すなわち、カメラ装置の前面下方に設けられたホワイトバランス調整キー等を含む操作パネルの操作性が向上する。
【００１３】
請求項２に記載の発明は、請求項１に記載の発明において、前記フランジバック調整レバーは、前記小径部に回転可能に設けられており、前記マウント部に装着されたカメラ装置と前記レンズ鏡胴本体との間に形成される比較的幅広のスペースに回転可能範囲が設定されていることを特徴とする。
【００１４】
請求項２に記載の発明によれば、フランジバック調整レバーの回転可能範囲が比較的幅広のスペースに設定されているので、フランジバック調整レバーがその回転可能範囲を超えて回転し比較的幅狭のスペース（カバー部とカメラ装置との間のスペース）に位置することを防止できる。これにより、フランジバック調整レバーの操作性が向上する。
【発明の効果】
【００１５】
本発明によれば、フランジバック調整レバーを手動操作しやすいレンズ鏡胴を提供することが可能となる。
【発明を実施するための最良の形態】
【００１６】
以下、本発明の一実施形態であるレンズ鏡胴について図面を参照しながら説明する。図１は、本発明の一実施形態であるレンズ鏡胴を説明するための断面図である。
【００１７】
図１に示すように、レンズ鏡胴１０は、レンズ鏡胴本体１２、エクステンダ４２、エクステンダ４２を覆うカバー部１２ａ、カバー部１２ａに設けられた小径部１２ｂ、小径部１２ｂの後端に設けられたマウント部８０（バヨネットマウント等）、小径部１２ｂに設けられたフランジバック調整レバー８１等を備えている。
【００１８】
図１、図２、及び、図３に示すように、レンズ鏡胴本体１２はカバー部材７０で覆われており、全体として箱形の外観を呈している。
【００１９】
レンズ鏡胴本体１２内部には、その光軸１４に沿って、フォーカスレンズ１６、ズームレンズ１８（変倍系レンズ１８Ａ及び補正系レンズ１８Ｂ）、及び、マスターレンズ２０が配設されている。
【００２０】
フォーカスレンズ１６はレンズ枠２２により保持されており、このレンズ枠２２の下端にはナット２４が取り付けられている。ナット２４は、レンズ鏡胴本体１２に形成されたガイド（図示せず）によって光軸１４方向にガイドされるとともに、モータ２６の回転軸に連結されたねじ棒２８が螺合されている。したがって、モータ２６を駆動してねじ棒２８を回動させると、フォーカスレンズ１６が光軸１４方向に前後移動する。
【００２１】
変倍系レンズ１８Ａ及び補正系レンズ１８Ｂは、それぞれレンズ枠３０、３２により保持されている。レンズ枠３０、３２は、光軸１４方向にスライド自在に支持されるとともに、それぞれカムフォロワー３０Ａ、３２Ａが上端に設けられている。カムフォロワー３０Ａ、３２Ａは、レンズ鏡胴本体１２に形成された孔を貫通してズーム円筒カム３４のカム溝３４Ａ、３４Ｂに嵌合されている。ズーム円筒カム３４の一端にはギア３６が固着されており、このギア３６はモータ（図示せず）の駆動軸に設けられたギア（図示せず）に噛み合っている。したがって、モータが駆動されるとズーム円筒カム３４が回動するので、変倍系レンズ１８Ａ及び補正系レンズ１８Ｂが、ズーム円筒カム３４のカム溝３４Ａ、３４Ｂで規定される軌跡に沿って前後移動され、ズーミングがなされる。
【００２２】
カム溝３４Ａ、３４Ｂは、所定の波長域での撮影においてズーミングする際にズーム焦点移動が生じない形状に加工されている。例えば、テレビカメラを夜間主体で使用する場合には、９００ｎｍ程度の近赤外光域での撮影においてズーム焦点移動が生じないようになっている。
【００２３】
図１に示すように、レンズ鏡胴本体１２の後端１２ｃ側には、エクステンダ４２が設けられている。図４に示すように、エクステンダ４２は、複数のレンズ（ピント補正用の光学系に相当）４４、４６、４８、５０が配置されたターレット板５２を備えており、このターレット板５２の回転停止位置に応じて複数のレンズのうちのいずれかのレンズがレンズ鏡胴本体１２の光軸１４上に配置されるようになっている。これにより、レンズを素早く交換可能となっている。
【００２４】
ターレット板５２は、その中心部がレンズ鏡胴本体１２に支持された軸５４によって回動自在に支持されている。図１に示すように、ターレット板５２の回転軸５４は、レンズ鏡胴本体１２の光軸１４と平行、かつ、レンズ鏡胴本体１２の一方の側面側１２Ｒにシフトした位置に設けられている。
【００２５】
ターレット板５２の外周部全周には、溝（図示せず）が形成されており、該溝には無端ベルト５６が掛けられている。ベルト５６は、プーリ５８を介して、モータ６０の駆動軸に設けられたプーリ６２に張設される。したがって、モータ６０が駆動されると、モータ６０の駆動力がベルト５６を介してターレット板５２に伝達し、ターレット板５２が軸５４を中心に回転する。
【００２６】
ターレット板５２の外周部には、Ｖ溝６４Ａ、６４Ｂ、６４Ｃ、６４Ｄが等間隔で形成されている。また、エクステンダ４２の左上隅部には、Ｖ溝６４Ａ〜６４Ｄのうちの一つのＶ溝に係合するローラ６６が設けられている。ローラ６６は、板ばね７０を介して、レンズ鏡胴本体１２に固着された係止片６８に取り付けられており、板ばね７０によってターレット板５２の軸５４側に付勢されている。したがって、ターレット板５２を回転させると、回転によって移動してきたＶ溝６４Ａ〜６４Ｄの一つにローラ６６が係合し、ターレット板５２が位置決めされる。
【００２７】
レンズ４４、４６、４８、５０は、軸５４から等しい距離に配置されており、Ｖ溝６４Ａ〜６４Ｄの一つにローラ６６が係合した際に、レンズ４４、４６、４８、５０の一つが光軸１４上に配置される。例えば、ローラ６６がＶ溝６４Ａに係合した際にはレンズ４４が、ローラ６６がＶ溝６４Ｂに係合した際にはレンズ４６が、ローラ６６がＶ溝６４Ｃに係合した際にはレンズ４８が、ローラ６６がＶ溝６４Ｄに係合した際にはレンズ５０が、光軸１４上に配置される。即ち、ターレット板５２の回転停止位置に応じて複数のレンズ４４、４６、４８、５０のうちのいずれかのレンズが、補正系レンズ１８Ｂとマスターレンズ２０との間の光軸１４上に配置されるようになっている。
【００２８】
レンズ４４、４６、４８、５０としては、設計波長と倍率の組み合わせが異なるものを用意する。例えば、レンズ４４、４６の設計波長を５４０ｎｍとし、レンズ４８、５０の設計波長を９００ｎｍとする。ここで、設計波長とは、ワイド端を基準として、その波長の被写体光が入射された際に所定の位置に結像させることのできるものとする。これにより、レンズ４４、４６を光軸１４上に配置すると、可視光域（第１の波長域）での撮影に応じたピント位置の補正を行うことができ、レンズ４８及び５０を光軸１４上に配置すると、近赤外光域（第２の波長域）での撮影に応じたピント位置の補正を行うことができる。また、レンズ４４及び５０の撮像倍率を等倍とし、レンズ４６及び４８の撮像倍率を２倍とすることにより、可視光域での撮影と近赤外光域での撮影の双方において、撮像倍率の切り換えを行うことができる。
【００２９】
モータ６０の駆動制御を行う制御装置（図示せず）は、外部の光度を検知するセンサ（図示せず）に接続されており、このセンサの検知信号に応じてモータ６０を回転駆動させることにより、光軸１４上に配置するレンズ４４、４６、４８、５０を切り換える。例えば、外部が明るい（即ち可視光域での撮影である）場合にはレンズ４４、４６を、外部が暗い（即ち、近赤外光域での撮影である）場合にはレンズ４８、５０を、光軸１４上に配置する。
【００３０】
上記のように構成されたエクステンダ４２は、レンズ鏡胴本体１２の後端部１２ｃに設けられたカバー部１２ａにより覆われている。ターレット板５２の回転軸５４がレンズ鏡胴本体１２の一方の側面側１２Ｒにシフトした位置に設けられている関係上、カバー部１２ａは、図１及び図３に示すように、レンズ鏡胴本体１２の後端部１２ｃからレンズ鏡胴本体１２の一方の側面１２Ｒ及び上面１２Ｔに向かって拡がるとともにレンズ鏡胴本体１２の光軸１４方向に一定の厚みを有するカバー空間を形成している。これにより、エクステンダ４２を覆っている。すなわち、図３に示すように、カバー部１２ａをレンズ鏡胴本体１２の一方の側面１２Ｒ及び上面１２Ｔ側にシフトした位置に設けた形となっている。
【００３１】
これにより、図２に示すように、マウント部８０にカメラ装置Ｃを装着すると、レンズ鏡胴本体１２とカメラ装置Ｃとの間に、小径部１２ｂが位置するとともにカバー部１２ａの一部がカメラ装置Ｃ側に迫り出した形で位置することになる。これと同時に、レンズ鏡胴本体１２の他方の側面１２Ｌ側及び下面１２Ｂ側に比較的幅広のスペース（図２中Ｈで示すスペース）が形成されることになる。
【００３２】
図２及び図３に示すように、フランジバック調整レバー８１は、小径部１２ｂの外周に回転可能に装着されたリング部材８２に設けられており、このレンズ鏡胴本体１２の他方の側面側１２Ｌに形成される比較的幅広のスペース（図２中Ｈで示すスペース）に位置している。このため、フランジバック調整レバー８１をこの比較的幅広のスペースを介して手動操作することが可能となっている。したがって、従来のようにカメラ装置Ｃ側に迫り出したカバー部１２ａがじゃまになり、フランジバック調整レバー８１を手動操作しづらいということがない。すなわち、本実施形態のレンズ鏡胴１０によれば、フランジバック調整レバー８１を手動操作しやすいレンズ鏡胴を提供することが可能となる。
【００３３】
また、図３に示すように、フランジバック調整レバーの回転可能範囲（図３中θで例示する）が比較的幅広のスペース（図２中Ｈで示すスペース）に設定されているので、フランジバック調整レバー８１がその回転可能範囲を超えて回転し比較的幅狭のスペース（カバー部１２ａとカメラ装置Ｃとの間のスペース）に位置することを防止できる。これにより、フランジバック調整レバー８１の操作性が向上する。
【００３４】
また、図２に示すように、カバー部１２ａをレンズ鏡胴本体１２の一方の側面１２Ｒ及び上面１２Ｔにシフトした位置に設けたことにより、レンズ鏡胴本体１２の下面側にも比較的幅広のスペースが形成される。このため、マウント部８０に装着されたカメラ装置Ｃの前面下方にホワイトバランス調整キー等を含む操作パネルＰが設けられていたとしても、このレンズ鏡胴本体１２の下面側に形成される比較的幅広のスペースを介して該操作パネルＰを手動操作することが可能となっている。すなわち、カメラ装置Ｃの前面下方に設けられたホワイトバランス調整キー等を含む操作パネルＰの操作性が向上する。
【００３５】
なお、図２に示すように、カメラ装置Ｃの上部にはＶＦ（ビューファインダ）用のコネクタＣ１が配置されており、カバー部１２ａの上部にはＶＦ用のコネクタＣ１を逃げるための切欠き１２ａ１が形成されている。
【００３６】
なお、上記実施形態では、カバー部１２ａをレンズ鏡胴本体１２の一方の側面１２Ｒ及び上面１２Ｔ側にシフトした位置に設けた例について説明したが本発明はこれに限定されない。例えば、カバー部１２ａをレンズ鏡胴本体１２の他方の側面１２Ｌ及び上面１２Ｔ側にシフトした位置に設けるようにしてもよい。
【００３７】
また、上記実施形態では、ターレット板５２には複数のレンズ（ピント補正用の光学系に相当）４４、４６、４８、５０が配置されているように説明したが本発明はこれに限定されない。例えば、ターレット板５２に少なくとも一つのレンズ（例えば２倍のレンズ）とレンズが配置されていない素通しの開口（１倍のレンズに相当）とを配置し、このターレット板５２の回転停止位置に応じてレンズ又は素通しの開口のいずれかがレンズ鏡胴本体１２の光軸１４上に配置されるようにしてもよい。
【００３８】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００３９】
【図１】本発明の一実施形態であるレンズ鏡胴を説明するための断面図である。
【図２】本発明の一実施形態であるレンズ鏡胴の側面図である。
【図３】本発明の一実施形態であるレンズ鏡胴の背面図である。
【図４】本発明の一実施形態であるレンズ鏡胴のエクステンダを説明するための図である。
【図５】従来の問題点を説明するための図である。
【符号の説明】
【００４０】
１０…レンズ鏡胴、１２…レンズ鏡胴本体、１２ａ…カバー部、１２ｂ…小径部、１２ｃ…後端部、１４…光軸、４２…エクステンダ、５２…ターレット板、５４…回転軸、８０…マウント部、７０…カバー、８１…フランジバック調整レバー、８２…リング部材、Ｃ…カメラ装置、Ｐ…操作パネル
【図１】
2008065164.tif 000003
【図２】
2008065164.tif 000004
【図３】
2008065164.tif 000005
【図４】
2008065164.tif 000006
【図５】
2008065164.tif 000007